(57)【要約】【課題】スノーボードビンディング時にブーツでベルトを踏み付けることがないスノーボードビンディング用ベルトの倒れ防止構造を提供する。【解決手段】本発明のスノーボードビンディング用ベルトの倒れ防止構造１０は、スノーボードビンディング１のベースプレート２とハイバック５の間に配置するベルト６と、オス部２２及びメス部２４からなり前記ベルト６の端部を前記ベースプレート２に回転自在に取り付ける固定手段２０を備え、  前記ベースプレート２及び前記固定手段２０の間には、前記メス部２４の自由回転を防止する回転防止部３０と、  前記ベルト６及び前記固定手段２０の間には、前記ベルト６の回転領域を制限する回転規制部４０を設けたことを特徴としている。【選択図】    図１
2019129937.tif 000002
【特許請求の範囲】
【請求項１】
スノーボードビンディングのベースプレートとハイバックの間に配置するベルトと、オス部及びメス部からなり前記ベルトの端部を前記ベースプレートに回転自在に取り付ける固定手段を備え、
前記ベースプレート及び前記固定手段の間には、前記メス部の自由回転を防止する回転防止部と、
前記ベルト及び前記固定手段の間には、前記ベルトの回転領域を制限する回転規制部を設けたことを特徴とするスノーボードビンディング用ベルトの倒れ防止構造。
【請求項２】
前記回転防止部は、
前記メス部を挿入する前記ベースプレートの貫通孔に設けた第１嵌合部と、
前記メス部に設けて前記第１嵌合部に嵌る第２嵌合部からなることを特徴とする請求項１に記載のスノーボードビンディング用ベルトの倒れ防止構造。
【請求項３】
前記回転規制部は、前記メス部又は前記ベルトのいずれか一方に設ける凸部と、前記メス部又は前記ベルトのいずれか他方に設けて前記凸部に嵌る凹部からなり、
前記凹部は、前記ベースプレート上で前記ベルトが起きた状態から所定角度に倒れた状態まで回転する際に、前記ベルトに追従して回転する前記凸部又は前記凹部のいずれか一方と、固定した前記凸部又は前記凹部のいずれか他方が干渉しない可動領域を有することを特徴とする請求項１又は２に記載のスノーボードビンディング用ベルトの倒れ防止構造。
【発明の詳細な説明】
【技術分野】
【０００１】
本発明は、スノーボードビンディングに適用してブーツをボードに固定する際に使用するベルトの倒れ防止構造に関する。
【背景技術】
【０００２】
図８はスノーボードビンディングの説明図である。図示のようにスノーボードビンディング１は、ネジ等によってスノーボードへ固定するベースプレート２と、ブーツ３をベースプレート２に固定するための締付構造４と、ベースプレート２の後部に折り畳み可能に軸支されて、その展開状態においてブーツ３の背面を支持するハイバック５を備え、ブーツ３をスノーボードに固定できる。前記締付構造４は、ブーツ３のつま先を締め付けるトゥーストラップ４ａと、ブーツ３の足首を締め付けるアンクルストラップ４ｂと、バックル４ｃ、ベルト６からなる。
そしてベルト６は、ベースプレート２とハイバック５の間に設けている。このような構成のスノーボードビンディング１は、アンクルストラップ４ｂの締め付け操作によって、ブーツ３とハイバック５を一体的に締め付けることができ快適なライディングが可能となる。
【０００３】
従来、種々のスノーボードビンディングが提案されている。
特許文献１に開示のスノーボードビンディング用のストラップは、トゥーストラップ及びアンクルストラップの各ベルトに長手方向にスリットを設けて、先端を閉鎖位置又は解放位置に選択的に配置できる。これによりブーツを装着する際にベルトが邪魔することがない。
特許文献２に開示のリアエントリー型のスノーボード用ビンディングは、レッグサポート（ハイバック）と甲要素（アンクルストラップ）をブーツの締結位置と開放位置の間で連動させる調整手段を備えている。
【先行技術文献】
【特許文献】
【０００４】
【特許文献１】特開２０１３−５３０７９０号公報
【特許文献２】特許第５３１９５３７号公報
【発明の概要】
【発明が解決しようとする課題】
【０００５】
しかしながら特許文献１によれば、ベルトの長手方向にスリットを設けることにより、ベルトの強度が低下してしまい安全面に問題が生じるおそれがある。また、特にアンクルストラップのベルトはベースプレートの外側側壁に取り付けているため（段落番号００２２参照）、スノーボードを装着する際にベルトが内側に倒れることがなく邪魔になるおそれは少ない。
また特許文献２によれば、ハイバックとアンクルストラップの回転移動を連動させる構造が複雑となる。またハイバックとアンクルストラップの回転軸を共有しているため、いずれか一方に不具合が生じた場合には、いずれか他方も影響を受け易いおそれがある。
またベースプレートとハイバックの間に締付構造のベルトを設けた構成のスノーボードビンディングの場合、ベースプレートの外側に取り付けるベルト構造と比べて、間に挟んだベルトがベースプレート側に倒れ易い。このためブーツを装着する際にベルトを踏んでしまい易くなり、ストラップの装着に時間がかかるという問題があった。
【０００６】
上記従来技術の問題点に鑑み、本発明は、スノーボードビンディング時にブーツでベルトを踏み付けることがないスノーボードビンディング用ベルトの倒れ防止構造を提供することにある。
【課題を解決するための手段】
【０００７】
上記課題を解決するための第１の手段として、本発明は、スノーボードビンディングのベースプレートとハイバックの間に配置するベルトと、オス部及びメス部からなり前記ベルトの端部を前記ベースプレートに回転自在に取り付ける固定手段を備え、
前記ベースプレート及び前記固定手段の間には、前記メス部の自由回転を防止する回転防止部と、
前記ベルト及び前記固定手段の間には、前記ベルトの回転領域を制限する回転規制部を設けたことを特徴とするスノーボードビンディング用ベルトの倒れ防止構造を提供することにある。
上記第１の手段によれば、スノーボードビンディング時にブーツでベルトを踏み付けることがなく、容易にブーツを装着できる。
【０００８】
上記課題を解決するための第２の手段として、本発明は、第１の手段において、前記回転防止部は、
前記メス部を挿入する前記ベースプレートの貫通孔に設けた第１嵌合部と、
前記メス部に設けて前記第１嵌合部に嵌る第２嵌合部からなることを特徴とするスノーボードビンディング用ベルトの倒れ防止構造を提供することにある。
上記第２の手段によれば、固定手段のメス部の自由回転を防止し、ベルトの回転領域を制限できる。
【０００９】
上記課題を解決するための第３の手段として、本発明は、前記第１又は第２の手段において、前記回転規制部は、前記メス部又は前記ベルトのいずれか一方に設ける凸部と、前記メス部又は前記ベルトのいずれか他方に設けて前記凸部に嵌る凹部からなり、
前記凹部は、前記ベースプレート上で前記ベルトが起きた状態から所定角度に倒れた状態まで回転する際に、前記ベルトに追従して回転する前記凸部又は前記凹部のいずれか一方と、固定した前記凸部又は前記凹部のいずれか他方が干渉しない可動領域を有することを特徴とするスノーボードビンディング用ベルトの倒れ防止構造を提供することにある。
上記第３の手段によれば、ベースプレート上でベルトが起きた状態から所定角度に倒れた状態まで回転するベルトの回転領域を制限できる。
【発明の効果】
【００１０】
本発明によれば、ブーツでベルトを踏み付けることなくビンディング動作を行うことができる。
【図面の簡単な説明】
【００１１】
【図１】本発明のスノーボードビンディング用ベルトの倒れ防止構造の分解斜視図である。
【図２】本発明のスノーボードビンディング用ベルトの倒れ防止構造の背面図である。
【図３】本発明のスノーボードビンディング用ベルトの倒れ防止構造の左側面図である。
【図４】図２のＡ−Ａ断面図である。
【図５】回転規制部によるベルトの可動領域の説明図であり、ベルトが所定角度に倒れたＡ−Ａ断面図である（ハイバックは省略）。
【図６】回転規制部によるベルトの可動領域の説明図であり、ベルトが起きたＡ−Ａ断面図である（ハイバックは省略）。
【図７】変形例の回転規制部の説明図である。
【図８】スノーボードビンディングの説明図である。
【発明を実施するための形態】
【００１２】
本発明のスノーボードビンディング用ベルトの倒れ防止構造の実施形態を添付の図面を参照しながら、以下詳細に説明する。
［スノーボードビンディング用ベルトの倒れ防止構造１０］
図１は本発明のスノーボードビンディング用ベルトの倒れ防止構造の分解斜視図である（ハイバックは省略）。図２は本発明のスノーボードビンディング用ベルトの倒れ防止構造の背面図である。図３は本発明のスノーボードビンディング用ベルトの倒れ防止構造の左側面図である。図４は図２のＡ−Ａ断面図である。図５は回転規制部によるベルトの可動領域の説明図であり、ベルトが所定角度に倒れたＡ−Ａ断面図である（ハイバックは省略）。図６は回転規制部によるベルトの可動領域の説明図であり、ベルトが起きたＡ−Ａ断面図である（ハイバックは省略）。
【００１３】
本発明のスノーボードビンディング用ベルトの倒れ防止構造１０は、スノーボードビンディングのベースプレート２とハイバックの間に配置するベルト６と、オス部２２及びメス部２４からなり前記ベルト６の端部を前記ベースプレート２に回転自在に取り付ける固定手段２０を備え、前記ベースプレート２及び前記固定手段２０の間には、前記メス部２４の自由回転を防止する回転防止部３０と、前記ベルト６及び前記固定手段２０の間には、前記ベルト６の回転領域を制限する回転規制部４０を設けている。
【００１４】
［固定手段２０］
固定手段２０は、オス部２２及びメス部２４からなり、ベースプレート２の側壁に設けた貫通孔２ａに着脱可能とし、ベースプレート２にベルト６の端部を回転自在に取り付けている。図１−６に示す固定手段２０は、オス部２２となるボルトと、メス部２４となるナットであり螺合による嵌め合い構造を採用している。またオス部２２はボルトの上部に回転レバーを備え、工具を用いることなくボルト締め又は緩める操作を行うことができる。
【００１５】
［回転防止部３０］
回転防止部３０は、固定手段２０を取り付けるベースプレート２の貫通孔２ａに設けた第１嵌合部３２と、メス部２４に設けて第１嵌合部３２に嵌る第２嵌合部３４からなる（図１の四角枠内に示すメス部２４の裏面参照）。より具体的な回転防止部３０の構成は、第１嵌合部３２が貫通孔２ａの孔形状の形態である。すなわち貫通孔２ａの断面形状を四角形に形成している。
第２嵌合部３４は、メス部２４の外形状であり、第１嵌合部３２に嵌め合う四角形に形成している。このような第１嵌合部３２に第２嵌合部３４を挿入した嵌め合い構造により貫通孔２ａ内のメス部２４は任意の箇所で位置決めされて孔内で軸回りを回転することがない。
なお、回転防止部３０の構造は、四角形以外の他の多角形（三角形、五角形、六角形等）、楕円形に形成しても良い。
【００１６】
［回転規制部４０］
回転規制部４０は、メス部２４又はベルト６のいずれか一方に設ける凸部４２と、メス部２４又はベルト６のいずれか他方に設けて凸部４２に嵌る凹部４４からなる。
図１−６に示す凸部４２は、メス部２４に設けている。具体的な凸部４２の構成は、円形ナットの外周の一部を中心から放射状に突出させた突起（全体としてしずく形）である。
図１−６に示す凹部４４は、ベルト６に設けている。具体的な凹部４４の構成は、メス部２４が嵌る凹状に形成し、凸部４２の両側面と対向する凹部の側面にスペースを設けている。すなわち凹部４２は、ベースプレート２上でベルト６が起きた状態から所定角度に倒れた状態まで回転する際に、ベルト６に追従して回転する凸部４２又は凹部４４のいずれか一方と、固定した凸部４２又は凹部４４のいずれか他方が干渉しない可動領域４６を有している。
【００１７】
［変形例］
図７は変形例の回転規制部の説明図である。回転規制部は、ベルトの起きた状態と所定角度に倒れた状態の間で回転可能な構成であれば良く、図１−６に示す構造の他にも、図７に示すような形態を採用することができる。
すなわち、（Ａ）に示すように、ベルト６Ａの孔中心を通る直線上に凸部４２Ａを設け、メス部２４Ａに凸部４２Ａが嵌る凹部４４Ａを設けている。そして凹部４４Ａはメス部２４Ａの孔中心を中心とする弧状に形成した可動領域４６Ａを有している。
また（Ｂ）に示すように、メス部２４Ｂの孔中心を通る直線上に凸部４２Ｂを設け、ベルト６Ｂに凸部４２Ｂが嵌る凹部４４Ｂを設けている。そして凹部４４Ｂはベルト６Ｂの孔中心を中心とする弧状に形成した可動領域４６Ｂを有している。
【００１８】
［作用］
上記構成による本発明のスノーボードビンディング用ベルトの倒れ防止構造は、次のように作用する。
締付手段のベルト６は、ベースプレート２上でベルト６が起きた状態（図６参照）から所定角度に倒れた状態（図５参照）までしか回転しないため、ブーツを装着する前は、凸部４４が凹部４２の可動領域４６の一方の側面に接するまでベルト６を回転（図６中の矢印に示す反時計周り）させて、あらかじめ締付手段のベルトを起きた状態にしておく。
次にブーツをベースプレート２上に載せた後は、凸部４４が凹部４２の可動領域４６の他方の側面に接するまでベルト６を回転（図５中の矢印に示す時計周り）させて、締付手段のベルト６を足首に密着するように可動領域４６内の所定角度まで倒してストラップを締め付けてブーツを装着する。
このような本発明のスノーボードビンディング用ベルトの倒れ防止構造によれば、ベルトがベースプレート上に倒れる状態がなくなり、ブーツでベルトを踏み付けることなくブーツを装着することができる。
以上、本発明の好ましい実施形態について説明した。しかしながら、本発明は、上記実施形態に何ら制限されることなく、本発明の主旨を逸脱しない範囲において、種々の変更が可能である。
また、本発明は、実施形態において示された組み合わせに限定されることなく、種々の組み合わせによって実施可能である。
【産業上の利用可能性】
【００１９】
本発明は、スノーボード用ビンディング用ベルトの倒れ防止構造として、産業上有効に利用することができる。
【符号の説明】
【００２０】
１………スノーボード用ビンディング、２………ベースプレート、２ａ………貫通孔、３………ブーツ、４………締結手段、４ａ………トゥーストラップ、４ｂ………アンクルストラップ、４ｃ………バックル、５………ハイバック、６，６Ａ，６Ｂ………ベルト、
１０………スノーボードビンディング用ベルトの倒れ防止構造、
２０………固定手段、２２………オス部、２４………メス部、
３０………回転防止部、３２………第１嵌合部、３４………第２嵌合部、
４０………回転規制部、４２，４２Ａ，４２Ｂ………凸部、４４，４４Ａ，４４Ｂ………凹部、４６，４６Ａ，４６Ｂ………可動領域。
【図１】
2019129937.tif 000003
【図２】
2019129937.tif 000004
【図３】
2019129937.tif 000005
【図４】
2019129937.tif 000006
【図５】
2019129937.tif 000007
【図６】
2019129937.tif 000008
【図７】
2019129937.tif 000009
【図８】
2019129937.tif 000010